(57)【要約】【課題】ユーザーが直覚的にデジタルメディアサーバとデジタルメディアレンダラーの間の接続対応関係を操作及びコントロールすることを可能にする。【解決手段】デジタルメディアコントローラのタッチスクリーンに、サーバリストを表示して、デジタルメディアサーバ及びデジタルメディアサーバが保存するマルチメディアファイルをリストアップする（Ｓ２０１）。タッチスクリーン上の第一入力動作を感知し、リストアップされたマルチメディアファイルのうちの一つを選択する（Ｓ２０５）。第一入力動作を分析し（Ｓ２１１）、第一入力動作が押し戻しの連続動作の場合、選択したマルチメディアファイルが属するデジタルメディアサーバに接続されたデジタルメディアレンダラーによって（Ｓ２１５）、また、第一入力動作が押し続ける動作の場合、第二入力動作により選択したデジタルメディアレンダラーによって（Ｓ２３１）、選択したマルチメディアファイルを再生する。【選択図】図２
2013243666.tif 000002
【特許請求の範囲】
【請求項１】
マルチメディアシステム体系に適合し、前記マルチメディアシステム体系は、ネットワーク、少なくとも１個のデジタルメディアコントローラ、数個のデジタルメディアサーバ及び数個のデジタルメディアレンダラーを備え、且つ、前記各デジタルメディアサーバは、複数のマルチメディアファイルを保存し、前記少なくとも１個のデジタルメディアコントローラは、前記ネットワークを経由して、前記各デジタルメディアサーバ及び前記各デジタルメディアレンダラーに接続されるマルチメディアファイル管理方法であって、
前記少なくとも１個のデジタルメディアコントローラのタッチスクリーンに、サーバリストを表示させ、前記マルチメディアシステム体系中の前記デジタルメディアサーバと前記デジタルメディアサーバのうちの少なくとも１個が保存する前記マルチメディアファイルをリストアップするステップと、
前記タッチスクリーンの入力位置を経由して、第一入力動作を感知することで、前記入力位置が対応する前記サーバリストがリストアップする前記デジタルメディアサーバのうちの一つが保存する前記マルチメディアファイルのうちの一つを選択するステップと、
前記第一入力動作を分析するステップとを備えて、
前記第一入力動作が押し戻しの連続動作である場合、前記第一入力動作により選択した前記マルチメディアファイルが対応する前記デジタルメディアサーバに接続された前記デジタルメディアレンダラーによって、前記第一入力動作により選択した前記マルチメディアファイルを再生し、
前記第一入力動作が押し続ける動作である場合、前記タッチスクリーンにプレーヤーリストが表示されることで、前記マルチメディアシステム体系中の前記デジタルメディアレンダラーをリストアップして、前記タッチスクリーンを経由して、第二入力動作を感知することで、前記デジタルメディアレンダラーのうちの一つを選択し、前記第二入力動作により選択した前記デジタルメディアレンダラーによって、前記第一入力動作により選択した前記マルチメディアファイルを再生することを特徴とするマルチメディアファイル管理方法。
【請求項２】
前記第二入力動作は、ドラッグ操作であり、且つ、前記ドラッグ操作が前記タッチスクリーン上の開始位置と終了位置を含み、前記開始位置は前記第一入力動作により選択する前記マルチメディアファイルに対応し、前記終了位置は前記第二入力動作により選択する前記デジタルメディアレンダラーに対応することを特徴とする請求項１に記載のマルチメディアファイル管理方法。
【請求項３】
前記第二入力動作は、前記第二入力動作により選択する前記デジタルメディアレンダラーが対応する表示位置上において生成される前記押し戻しの連続動作であることを特徴とする請求項１に記載のマルチメディアファイル管理方法。
【請求項４】
前記押し続ける動作は、入力ツールが前記タッチスクリーンに触れて、所定の接触時間を超えることを特徴とする請求項１に記載のマルチメディアファイル管理方法。
【請求項５】
前記少なくとも１個のデジタルメディアコントローラは、タブレットパソコン、スマートフォンまたはＰＤＡを含むことを特徴とする請求項１に記載のマルチメディアファイル管理方法。
【請求項６】
マルチメディアシステム体系に適合し、前記マルチメディアシステム体系は、ネットワーク、数個のデジタルメディアサーバ及び数個のデジタルメディアレンダラーを備え、且つ、前記各デジタルメディアサーバは、複数のマルチメディアファイルを保存し、前記ネットワークを経由して前記デジタルメディアサーバと前記デジタルメディアレンダラーに接続されるデジタルメディアコントローラであって、
サーバリストを表示して、前記マルチメディアシステム体系中の前記デジタルメディアサーバと前記デジタルメディアサーバのうちの少なくとも１個が保存する前記マルチメディアファイルをリストアップして、さらに、その入力位置において、第一入力動作を感知することで、前記入力位置が対応する前記サーバリストがリストアップする前記デジタルメディアサーバのうちの一つが保存する前記マルチメディアファイルのうちの一つを選択するタッチスクリーンと、
コンピュータのリライタブルプログラムを保存する保存装置と、
前記コンピュータのリライタブルの複数のコマンドを実行するＣＰＵとを備えて、
前記コマンドは、前記第一入力動作を分析することを含み、
前記第一入力動作が押し戻しの連続動作である場合、前記第一入力動作により選択された前記マルチメディアファイルが対応するデジタルメディアサーバに接続された前記デジタルメディアレンダラーを指定して、前記第一入力動作により選択した前記マルチメディアファイルを再生し、
前記第一入力動作が押し続ける動作である場合、前記タッチスクリーン上にプレーヤーリストが表示されることで、前記マルチメディアシステム体系中の前記デジタルメディアレンダラーがリストアップされて、前記タッチスクリーンを経由して、第二入力動作を感知することで、前記デジタルメディアレンダラーのうちの一つを選択し、次に、前記第二入力動作により選択した前記デジタルメディアレンダラーを指定して、前記第一入力動作により選択した前記マルチメディアファイルを再生することを特徴とするデジタルメディアコントローラ。
【請求項７】
前記第二入力動作は、ドラッグ操作であり、且つ、前記ドラッグ操作が前記タッチスクリーン上の開始位置と終了位置を含み、前記開始位置は前記第一入力動作により選択する前記マルチメディアファイルに対応し、前記終了位置は前記第二入力動作により選択する前記デジタルメディアレンダラーに対応することを特徴とする請求項６に記載のデジタルメディアコントローラ。
【請求項８】
前記第二入力動作は、前記第二入力動作により選択する前記デジタルメディアレンダラーが対応する表示位置上において生成される前記押し戻しの連続動作であることを特徴とする請求項６に記載のデジタルメディアコントローラ。
【請求項９】
前記押し続ける動作は、入力ツールが前記タッチスクリーンに触れて、所定の接触時間を超えることを特徴とする請求項６に記載のデジタルメディアコントローラ。
【請求項１０】
前記デジタルメディアコントローラは、タブレットパソコン、スマートフォンまたはＰＤＡを含むことを特徴とする請求項６に記載のデジタルメディアコントローラ。
【請求項１１】
マルチメディアシステム体系に適合し、前記マルチメディアシステム体系は、ネットワーク、数個のデジタルメディアサーバ及び数個のデジタルメディアレンダラーを備え、且つ、前記各デジタルメディアサーバは、複数のマルチメディアファイルを保存し、前記ネットワークを経由して、前記各デジタルメディアサーバ及び前記各デジタルメディアレンダラーに接続されるマルチメディアファイル管理システムであって、
サーバリストを表示して、前記マルチメディアシステム体系中の前記デジタルメディアサーバと前記デジタルメディアサーバのうちの少なくとも１個の保存した前記マルチメディアファイルをリストアップする表示ユニットと、
前記表示ユニットに接続されて、その入力位置を経由して、第一入力動作を感知することで、前記入力位置が対応する前記サーバリストがリストアップする前記デジタルメディアサーバのうちの一つが保存した前記マルチメディアファイルのうち一つを選択するセンサユニットと、
前記センサユニットに接続されて、前記第一入力動作を分析する動作分析ユニットと、
前記動作分析ユニットに接続されるコントロールユニットとを備えて、
前記第一入力動作が、押し戻しの連続動作である場合、前記コントロールユニットは、前記第一入力動作により選択した前記マルチメディアファイルが対応する前記デジタルメディアサーバに接続された前記デジタルメディアレンダラーを指定して、前記第一入力動作により選択した前記マルチメディアメディアファイルを再生させ、前記第一入力動作が押し続ける動作である場合、前記コントロールユニットは、前記表示ユニットがプレーヤーリストを表示するのをコントロールして、前記マルチメディアシステム体系中の前記デジタルメディアレンダラーをリストアップし、前記センサユニットが、前記センサユニットの第二入力動作を感知することで、前記デジタルメディアレンダラーのうちの一つを選択し、且つ、前記コントロールユニットが、前記第二入力動作に基づき、前記第二入力動作により選択した前記デジタルメディアレンダラーを指定して、前記第一入力動作により選択した前記マルチメディアファイルを再生させることを特徴とするマルチメディアファイル管理システム。
【請求項１２】
前記第二入力動作は、ドラッグ操作であり、且つ、前記ドラッグ操作が前記タッチスクリーン上の開始位置と終了位置を含み、前記開始位置は前記第一入力動作により選択する前記マルチメディアファイルに対応し、前記終了位置は前記第二入力動作により選択する前記デジタルメディアレンダラーに対応することを特徴とする請求項１１に記載のマルチメディアファイル管理システム。
【請求項１３】
前記第二入力動作は、前記第二入力動作により選択する前記デジタルメディアレンダラーが対応する表示位置において生成される前記押し戻しの連続動作であることを特徴とする請求項１１に記載のマルチメディアファイル管理システム。
【請求項１４】
前記押し続ける動作は、入力ツールが前記タッチスクリーンに触れて、所定の接触時間を超えることを特徴とする請求項１１に記載のマルチメディアファイル管理システム。
【請求項１５】
マルチメディアシステム体系に適合し、前記マルチメディアシステム体系は、無線ネットワーク、携帯デジタルメディアコントローラ、デジタルメディアサーバ及び数個のデジタルメディアレンダラーを備えて、前記デジタルメディアサーバはマルチメディアファイルを保存し、前記携帯デジタルメディアコントローラは、タッチスクリーンを有し、且つ、前記無線ネットワークを経由して、前記デジタルメディアサーバ及び前記デジタルメディアレンダラーに接続されるマルチメディアファイル管理方法であって、
前記タッチスクリーンが前記マルチメディアファイルをリストアップするステップと、
前記タッチスクリーンを経由して、第一入力動作を感知して、前記マルチメディアファイルを選択するステップとを備えて、
前記第一入力動作が、押し戻しの連続動作である場合、前記デジタルメディアレンダラーのうちのすでに選択されたものによって、前記第一入力動作により選択された前記マルチメディアファイルが再生されるよう設定されて、
前記第一入力動作が、押し続ける動作である場合、前記タッチスクリーンに、プレーヤーリストが表示されることで、前記デジタルメディアレンダラーがリストアップされて、前記タッチスクリーンを経由して、第二入力動作を感知することで、前記第二入力動作により選択された前記デジタルメディアレンダラーのうちの一つによって、前記第一入力動作により選択された前記マルチメディアファイルが再生されるよう設定されることを特徴とするマルチメディアファイル管理方法。
【請求項１６】
前記第二入力動作は、開始位置から終了位置までのドラッグ操作であり、前記開始位置は前記第一入力動作により選択する前記マルチメディアファイルに対応し、前記終了位置は前記第二入力動作により選択する前記デジタルメディアレンダラーに対応することを特徴とする請求項１５に記載のマルチメディアファイル管理方法。
【請求項１７】
前記開始位置は、前記押し続ける動作の押す位置であることを特徴とする請求項１６に記載のマルチメディアファイル管理方法。
【請求項１８】
前記第二入力動作は、前記第二入力動作により選択する前記デジタルメディアレンダラーが対応する表示位置に生成される前記押し戻しの連続動作であることを特徴とする請求項１５に記載のマルチメディアファイル管理方法。
【請求項１９】
前記押し続ける動作は、入力ツールが前記タッチスクリーンに触れて、所定の接触時間を超えることを特徴とする請求項１５に記載のマルチメディアファイル管理方法。
【請求項２０】
サーバリストを表示するステップを更に備え、前記サーバリストは前記デジタルメディアサーバと前記マルチメディアファイルをリストアップすることを特徴とする請求項１５に記載のマルチメディアファイル管理方法。
【請求項２１】
前記第一入力動作が押し戻しの連続動作である場合の、前記デジタルメディアレンダラーのうちのすでに選択されたものによって、前記第一入力動作により選択された前記マルチメディアファイルが再生されるという前記設定は、前記第一入力動作により選択された前記マルチメディアファイルを前記すでに選択された前記デジタルメディアレンダラーの再生リストに追加することを含むことを特徴とする請求項１５に記載のマルチメディアファイル管理方法。
【請求項２２】
前記第一入力動作が押し続ける動作である場合の、前記第二入力動作により選択された前記デジタルメディアレンダラーのうちの一つによって、前記第一入力動作により選択された前記マルチメディアファイルを再生するという前記設定は、前記第一入力動作により選択された前記マルチメディアファイルを前記第二入力動作により選択された前記デジタルメディアレンダラーの再生リストに追加することを含むことを特徴とする請求項１５に記載のマルチメディアファイル管理方法。
【発明の詳細な説明】
【技術分野】
【０００１】
本発明は、ファイル管理方法、コントローラ及びファイル管理システムに関し、特に一対多のマルチメディアファイル管理方法、デジタルメディアコントローラ及びマルチメディアファイル管理システムに関する。
【背景技術】
【０００２】
ＤＬＮＡ（Ｄｉｇｉｔａｌ  Ｌｉｖｉｎｇ  Ｎｅｔｗｏｒｋ  Ａｌｌｉａｎｃｅ）は、消費性電子製品、携帯電話及びパソコンメーカー間で結成された連盟組織で、その連盟組織は統一のガイドラインを制定している。その目的は、それぞれ異なるメーカーの製品に互換性を持たせるためである。これにより、オーディオ装置がＤＬＮＡのガイドラインに適合していさえすれば、直接接続して同期化させることができ、データの転送も行える。
【０００３】
ＤＬＮＡのガイドラインに適合する製品は、主に、デジタルメディアサーバ（Ｄｉｇｉｔａｌ  Ｍｅｄｉａ  Ｓｅｒｖｅｒ，ＤＭＳ）、デジタルメディアプレーヤー（Ｄｉｇｉｔａｌ  Ｍｅｄｉａ  Ｐｌａｙｅｒ，ＤＭＰ）、デジタルメディアコントローラ（Ｄｉｇｉｔａｌ  Ｍｅｄｉａ  Ｃｏｎｔｒｏｌｌｅｒ，ＤＭＣ）、デジタルメディアレンダラー（Ｄｉｇｉｔａｌ  Ｍｅｄｉａ  Ｒｅｎｄｅｒｅｒ，ＤＭＲ）  の四つの種類に分かれる。このうち、ＤＭＳは、マルチメディアファイルの検索、複製、保存を行う元となる装置である。ＤＭＰは、能動的にＤＭＳにより提供されたマルチメディアファイルを検索し、再生または出力する装置である。ＤＭＣは、リモコン装置として使用し、ＤＭＳ上のマルチメディアファイルを検索して、マルチメディアファイルを再生するＤＭＲを指定して再生を行ったり、マルチメディアファイルをコントロールして、ＤＭＳにアップロードする装置である。ＤＭＲは、ＤＭＣからプッシュ（ｐｕｓｈ）されて来たマルチメディアファイルを受動的に受信して再生する。
【０００４】
家庭内のネットワークにおいて、ＤＬＮＡ協定に適合したコンピュータ、携帯電話、サーバ及びプレーヤー等は、いずれもネットワークを介して、それぞれマルチメディアコンテンツ(動画、音楽、写真等を含む)を共有し、再生する。コンテンツのソース以外にも、自動操作過程によって、ユーザーも再生能力を有する機器ならどれでも自由にマルチメディアファイルを再生させることが可能である。例えば、ユーザーがキッチンのコンピュータによって、書斎のコンピュータの映像を選択して、リビングのテレビ画面で再生させることができる。したがって、デジタル家電のホームネットワークにより、便利で快適なホームシアターが楽しめる。
【発明の概要】
【発明が解決しようとする課題】
【０００５】
本発明は、ユーザーが直覚的にデジタルメディアサーバとデジタルメディアレンダラー間の接続対応関係を操作及びコントロールすることが可能なマルチメディアファイル管理方法を提供することを目的とする。
【０００６】
また、本発明は、一対多のマルチメディアファイル管理の複雑さを改善するデジタルメディアコントローラを提供することを目的とする。
【０００７】
さらに、本発明は、ユーザーの使用上の便性さを高めるマルチメディアファイル管理システムを提供することを目的とする。
【課題を解決するための手段】
【０００８】
本発明のマルチメディアファイル管理方法は、マルチメディアシステム体系に適合し、前記マルチメディアシステム体系は、ネットワーク、少なくとも１個のデジタルメディアコントローラ、数個のデジタルメディアサーバ及び数個のデジタルメディアレンダラーを備える。且つ、前記各デジタルメディアサーバは、複数のマルチメディアファイルを保存し、前記少なくとも１個のデジタルメディアコントローラは、前記ネットワークを経由して、前記各デジタルメディアサーバ及び前記各デジタルメディアレンダラーに接続される。前記方法は、以下のステップを備える。前記少なくとも１個のデジタルメディアコントローラのタッチスクリーンに、サーバリストが表示されて、前記マルチメディアシステム体系中の前記デジタルメディアサーバと前記デジタルメディアサーバのうちの少なくとも１個が保存する前記マルチメディアファイルをリストアップする。前記タッチスクリーンの入力位置を経由して、第一入力動作を感知することで、前記入力位置が対応する前記サーバリストがリストアップする前記デジタルメディアサーバのうちの一つが保存する前記マルチメディアファイルのうちの一つを選択する。前記第一入力動作を分析する。前記第一入力動作が押し戻しの連続動作である場合、前記第一入力動作により選択した前記マルチメディアファイルが対応する前記デジタルメディアサーバに接続された前記デジタルメディアレンダラーによって、前記第一入力動作により選択した前記マルチメディアファイルを再生する。第一入力動作が押し続ける動作である場合、前記タッチスクリーンにプレーヤーリストが表示されることで、前記マルチメディアシステム体系中の前記デジタルメディアレンダラーがリストアップされた後、前記タッチスクリーンを経由して、第二入力動作を感知することで、前記デジタルメディアレンダラーのうちの一つを選択し、次に、前記第二入力動作により選択した前記デジタルメディアレンダラーによって、前記第一入力動作により選択した前記マルチメディアファイルを再生する。
【０００９】
本発明のデジタルメディアコントローラは、マルチメディアシステム体系に適合し、前記マルチメディアシステム体系は、ネットワーク、数個のデジタルメディアサーバ及び数個のデジタルメディアレンダラーを備える。且つ、前記各デジタルメディアサーバは、複数のマルチメディアファイルを保存し、前記デジタルメディアコントローラは、前記ネットワークを経由して前記デジタルメディアサーバと前記デジタルメディアレンダラーに接続される。前記デジタルメディアコントローラは、タッチスクリーン、保存装置及びＣＰＵを備える。タッチスクリーンは、サーバリストを表示して、前記マルチメディアシステム体系中の前記デジタルメディアサーバと前記デジタルメディアサーバの少なくとも１個が保存する前記マルチメディアファイルをリストアップする。さらに、前記タッチスクリーンの入力位置において、第一入力動作を感知することで、前記入力位置が対応する前記サーバリストがリストアップする前記デジタルメディアサーバのうちの一つが保存する前記マルチメディアファイルのうちの一つを選択する。保存装置は、コンピュータのリライタブルプログラムを保存する。ＣＰＵは、コンピュータのリライタブルの複数のコマンドを実行する。これらのコマンドは、前記第一入力動作を分析することを含む。第一入力動作が押し戻しの連続動作である時、前記第一入力動作により選択されたマルチメディアファイルが対応するデジタルメディアサーバに接続されたデジタルメディアレンダラーを指定して、前記第一入力動作により選択したマルチメディアファイルを再生する。第一入力動作が押し続ける動作である時、タッチスクリーンにプレーヤーリストが表示されることで、前記マルチメディアシステム体系中の前記デジタルメディアレンダラーがリストアップされて、その後、前記タッチスクリーンを経由して、第二入力動作を感知することで、前記デジタルメディアレンダラーのうちの一つを選択し、次に、前記第二入力動作により選択したデジタルメディアレンダラーを指定して、前記第一入力動作により選択したマルチメディアファイルを再生する。
【００１０】
本発明のマルチメディアファイル管理システムは、マルチメディアシステム体系に適合する。前記マルチメディアシステム体系は、ネットワーク、数個のメディアサーバ及び数個のデジタルメディアレンダラーを備える。且つ、前記各デジタルメディアサーバは、複数のマルチメディアファイルを保存する。前記マルチメディアファイル管理システムは、前記ネットワークを経由して、前記各デジタルメディアサーバ及び前記各デジタルメディアレンダラーに接続される。前記システムは、表示ユニット、センサユニット、動作分析ユニット及びコントロールユニットを備える。表示ユニットは、サーバリストを表示して、前記マルチメディアシステム体系中の前記デジタルメディアサーバと前記デジタルメディアサーバのうちの少なくとも１個の保存した前記マルチメディアファイルをリストアップする。センサユニットは、前記表示装置に接続される。センサユニットは、前記センサユニットの入力位置を経由して、第一入力動作を感知することで、前記入力位置が対応する前記サーバリストがリストアップする前記デジタルメディアサーバのうちの一つが保存した前記マルチメディアファイルのうち一つを選択する。動作分析ユニットは、前記センサユニットに接続される。前記動作分析ユニットは、前記第一入力動作を分析する。コントロールユニットは、前記動作分析ユニットに接続される。前記第一入力動作が、押し戻しの連続動作である場合、前記コントロールユニットは、前記第一入力動作により選択した前記マルチメディアファイルが対応する前記デジタルメディアサーバに接続された前記デジタルメディアレンダラーを指定して、前記第一入力動作により選択した前記マルチメディアメディアファイルを再生させる。さらに、前記第一入力動作が押し続ける動作である場合、前記コントロールユニットは、前記表示ユニットがプレーヤーリストを表示するのをコントロールして、前記マルチメディアシステム体系中の前記デジタルメディアレンダラーをリストアップする。前記センサユニットは、前記センサユニット上の第二入力動作を感知することで、前記デジタルメディアレンダラーのうちの一つを選択し、且つ、前記コントロールユニットは、前記第二入力動作に基づき、前記第二入力動作により選択した前記デジタルメディアレンダラーを指定して、前記第一入力動作により選択した前記マルチメディアファイルを再生させる。
【００１１】
本発明の一実施形態において、上述のマルチメディアファイル管理方法、デジタルメディアコントローラ及びマルチメディアファイル管理システムは、前記第二入力動作が、ドラッグ操作であり、且つ、前記ドラッグ操作が前記タッチスクリーンの開始位置と終了位置を含み、前記開始位置は前記第一入力動作により選択する前記マルチメディアファイルに対応し、前記終了位置は前記第二入力動作により選択する前記デジタルメディアレンダラーに対応する。
【００１２】
本発明の一実施形態において、上述のマルチメディアファイル管理方法、デジタルメディアコントローラ及びマルチメディアファイル管理システムは、前記第二入力動作が、前記第二入力動作により選択する前記デジタルメディアレンダラーが対応する表示位置において生成される前記押し戻しの連続動作である。
【００１３】
本発明の一実施形態において、上述のマルチメディアファイル管理方法、デジタルメディアコントローラ及びマルチメディアファイル管理システムは、前記押し続ける動作は、入力ツールが前記タッチスクリーンに触れて、所定の接触時間を超えることである。
【００１４】
本発明の一実施形態において、上述のマルチメディアファイル管理方法、デジタルメディアコントローラ及びマルチメディアファイル管理システムは、前記少なくとも１個のデジタルメディアコントローラが、タブレットパソコン、スマートフォンまたはＰＤＡを含む。
【発明の効果】
【００１５】
このように、本発明のマルチメディアファイル管理方法、デジタルメディアコントローラ及びマルチメディアファイル管理システムは、ユーザーがタッチスクリーン上で再生するマルチメディアファイルを選択する動作を判別した結果に基づき、自動的に対応する反応を生成する。それは、デジタルメディアサーバに接続されたデジタルメディアレンダラー上で選択されたマルチメディアファイルを直接再生する場合、または、デジタルメディアレンダラーが他のマルチメディアファイルを選択再生する場合も含む。ユーザーは、直覚的にデジタルメディアコントローラ/マルチメディアファイル管理システムが提供するマルチメディアファイル管理インターフェースにおいて、速やかな操作及びデジタルメディアサーバとデジタルメディアレンダラー間の接続対応を管理でき、さらに、デジタルメディアレンダラーを指定して、マルチメディアサーバの特定マルチメディアファイルを再生することも可能である。したがって、ＤＬＮＡ環境における、複数のマルチメディアファイル管理の複雑さを改善して、ユーザーの操作の便性さを高められる。
【図面の簡単な説明】
【００１６】
【図１】本発明の一実施形態における一対多のマルチメディアファイル管理が可能なマルチメディアシステム体系を示した図である。
【図２】本発明の一実施形態におけるマルチメディアファイル管理方法の流れを示したフロー図である。
【図３Ａ】本発明の一実施形態におけるマルチメディアファイル管理方法においてデジタルメディアコントローラのタッチスクリーンがマルチメディアファイル管理インターフェースを表示する状態を示した図である。
【図３Ｂ】本発明の一実施形態におけるマルチメディアファイル管理方法においてデジタルメディアコントローラのタッチスクリーンがマルチメディアファイル管理インターフェースを表示する状態を示した図である。
【図３Ｃ】本発明の一実施形態におけるマルチメディアファイル管理方法においてデジタルメディアコントローラのタッチスクリーンがマルチメディアファイル管理インターフェースを表示する状態を示した図である。
【図３Ｄ】本発明の一実施形態におけるマルチメディアファイル管理方法においてデジタルメディアコントローラのタッチスクリーンがマルチメディアファイル管理インターフェースを表示する状態を示した図である。
【図４】本発明の一実施形態におけるマルチメディアファイル管理システムを示した図である。
【図５】本発明の一実施形態におけるデジタルメディアコントローラを示した図である。
【発明を実施するための形態】
【００１７】
本発明の上述の特徴及び長所をわかりやすくするために、以下に例を挙げ、図面を組み合わせて詳細に説明する。
【００１８】
＜実施形態１＞
まず、本発明の一実施形態によるマルチメディアファイル管理方法について説明する。図１は、本発明の一実施形態におけるマルチメディアファイル管理方法が適合される一対多のマルチメディアファイル管理が可能なマルチメディアシステム体系を示した図である。図１に示したように、本実施形態のマルチメディアシステム体系１００は、ネットワーク１０２、数個のデジタルメディアレンダラー（少なくとも１０４ａ〜１０４ｃを含む）、数個のデジタルメディアサーバ（少なくとも１０６ａ〜１０６ｃを含む）及び少なくとも１個のデジタルメディアコントローラ（少なくとも１０８ａ〜１０８ｃを含む）を備える。このうち、デジタルメディアサーバ１０６ａ〜１０６ｃはいずれも複数のマルチメディアファイルを保存し、デジタルメディアコントローラ１０８ａ〜１０８ｃはネットワーク１０２を経由して、それぞれデジタルメディアサーバ１０６ａ〜１０６ｃ及びデジタルメディアレンダラー１０４ａ〜１０４ｃに接続される。さらに、ネットワーク１０２は、例えば、無線または有線方式によって、上述のデジタルメディアレンダラー１０４ａ〜１０４ｃ、デジタルメディアサーバ１０６ａ〜１０６ｃ及びデジタルメディアコントローラ１０８ａ〜１０８ｃに接続される。また、ネットワーク１０２は、例えば、イーサーネット（Ｅｔｈｅｒｎｅｔ（登録商標））、ＩＥＥＥ１３９４１に基づく標準ネットワーク、ＩＥＥＥ８０２．１１に基づく標準の無線ネットワークまたは上述ネットワークの組合せである。
【００１９】
上述のデジタルメディアサーバ１０６ａ〜１０６ｃは、例えば、ＤＬＮＡ規範に適合するパソコン、ネットワーク保存メディア、デジタルビデオまたは携帯電子機器(ノートブックパソコン、携帯電話、ＰＤＡ、デジタルビデオカメラ及びデジタルカメラを含む)等のＤＬＮＡメディアサーバ機能を提供するハードウェア設備である。上述のデジタルメディアレンダラー１０４ａ〜１０４ｃは、例えば、ＤＬＮＡ規範に適合するテレビ、オーディオシステム、パソコンまたは携帯電子機器(ノートブックパソコン、携帯電話、ＰＤＡ、デジタルビデオカメラ及びデジタルカメラを含む)等のＤＬＮＡメディア再生能力を提供するハードウェア設備である。さらに、上述のマルチメディアファイルは、例えば、動画ファイル、音楽ファイルまたは写真ファイルである。上述のデジタルメディアコントローラ１０８ａ〜１０８ｃは、例えば、ＤＬＮＡ規範に適合するタブレットパソコン、スマートフォンまたはＰＤＡ等のタッチコントロールスクリーン（タッチスクリーン）が搭載されている携帯電子機器である。
【００２０】
図２は、本発明の一実施形態におけるマルチメディアファイル管理方法の流れを示したフロー図である。本実施形態におけるマルチメディアファイル管理方法は、図１に示したマルチメディアシステム体系１００に適合する。図３Ａ、図３Ｂ、図３Ｃ、図３Ｃ、は、本発明の一実施形態におけるデジタルメディアコントローラ１０８ａ〜１０８ｃのタッチコントロールスクリーン（タッチスクリーン）１５０がマルチメディアファイル管理インターフェース３００を表示した状態を示した図である。図１、図２及び図３Ａに示したように、本実施形態におけるマルチメディアファイル管理方法において、まず、デジタルメディアコントローラ(１０８ａ〜１０８ｃ)のうちの一つのタッチスクリーン１５０に、サーバリスト３０２が表示され、デジタルメディアサーバ(１０６ａ〜１０６ｄ)の少なくともそのうちの一つに保存されたマルチメディアファイルがリストアップされる(ステップＳ２０１)。図３Ａに示したように、まず、マルチメディアファイル管理インターフェース３００は、サーバリスト３０２を表示して、マルチメディアシステム体系１００中のデジタルメディアサーバ(１０６ａ〜１０６ｄ)及びデジタルメディアサーバ１０６ａが保存したマルチメディアファイルａ１〜ａ３をリストアップする。すなわち、マルチメディアファイル管理インターフェース３００は、サーバリスト３０２を表示することにより、マルチメディアシステム体系１００中のデジタルメディアサーバ１０６ａ〜１０６ｄを示す情報（例えばサーバ名など）及びデジタルメディアサーバ１０６ａが保存しているマルチメディアファイルａ１〜ａ３を示す情報（例えばファイル名など）を表示する。図３Ａに示す例では、サーバリスト３０２に、デジタルメディアサーバ１０６ａ〜１０６ｄのサーバ名「サーバ１０６ａ」「サーバ１０６ｂ」「サーバ１０６ｃ」「サーバ１０６ｄ」及びサーバ名「サーバ１０６ａ」のデジタルメディアサーバ１０６ａが保存しているマルチメディアファイルａ１〜ａ３のファイル名「マルチメディアファイルａ１」「マルチメディアファイルａ２」「マルチメディアファイルａ３」が表示されている。本実施形態において、ユーザーが、例えば、入力装置（例えば、手指またはタッチペン)で軽タッチ−リリースの動作により、デジタルメディアコントローラ(１０８ａ〜１０８ｃ)のタッチスクリーン１５０に表示されているサーバ名「サーバ１０６ａ」に対応する位置をスワイ（触れた状態で掃くように滑らさせる操作）することで、サーバリスト３０２にデジタルメディアサーバ１０６ａ〜１０６ｄのサーバ名「サーバ１０６ａ」「サーバ１０６ｂ」「サーバ１０６ｃ」「サーバ１０６ｄ」から成る選択項目を表示させ、さらに、デジタルメディアサーバ１０６ａに保存されたマルチメディアファイルａ１〜ａ３のファイル名「マルチメディアファイルａ１」「マルチメディアファイルａ２」「マルチメディアファイルａ３」を表示する。また、一実施形態において、サーバリスト３０２は、リストアップされる各デジタルメディアサーバを示す情報（サーバ名）のそばに、このデジタルメディアサーバが接続されるデジタルメディアレンダラーを示す情報（レンダラー名）が注記される。さらに、マルチメディ���ファイル管理インターフェース３００は、サーバリスト３０２を表示するだけではなく、プレビューウィンドウ３０４も表示して、ユーザーが選択して再生するマルチメディアファイルをプレビューするのに供する。またさらなる実施形態において、マルチメディアファイル管理インターフェース３００は、プレビューウィンドウ３０４にプレビューされたマルチメディアファイルのファイル情報(図示なし）をカラム表示することで、ユーザーにさらなるファイル情報を提供する。
【００２１】
その後、ステップＳ２０５において、タッチスクリーン１５０の入力位置を経て、第一入力動作を感知することで、入力位置が対応するサーバリスト３０２中のデジタルメディアサーバのうちの一つが保存するマルチメディアファイルのうちの一つを選択する。つまり、ユーザーが入力装置(例えば、手指またはタッチペン)によって、デジタルメディアコントローラ(１０８ａ〜１０８ｃ)のタッチスクリーン１５０において第一入力動作を生成することで、再生するメディアファイルを選択するということである。すなわち、サーバリスト３０２中のファイル名の表示位置を入力位置とする第一入力動作を生成することで、その入力位置が対応するマルチメディアファイル（サーバリスト３０２中のデジタルメディアサーバのうちの一つが保存するマルチメディアファイルのうちの一つ）を選択するということである。例えば、図３Ａに示す例において、サーバリスト３０２中のファイル名「マルチメディアファイルａ２」の表示位置を入力位置とする第一入力動作を生成すれば、その入力位置が対応するマルチメディアファイルａ２（サーバリスト３０２中のサーバ名「サーバ１０６ａ」のデジタルメディアサーバ１０６ａが保存するファイル名「マルチメディアファイルａ２」のマルチメディアファイルａ２）が選択されるということである。
【００２２】
さらに、ステップＳ２１１において、この第一入力動作を分析する。ステップＳ２１５において、第一入力動作が押し戻しの連続動作(すなわち連続する軽タッチ−リリース動作)である時、第一入力動作により選択されたマルチメディアファイルに対応するデジタルメディアサーバ(１０６ａ〜１０６ｄ)に接続されたデジタルメディアレンダラー（１０４ａ〜１０４ｃ）は、第一入力動作により選択されたマルチメディアファイルを再生するか、または、すでに選択されたデジタルメディアレンダラー（１０４ａ〜１０４ｃ）によって、第一入力動作により選択されたマルチメディアファイルを再生するよう設定される。マルチメディアファイルに対応するデジタルメディアサーバ(１０６ａ〜１０６ｄ)とすでに選択されたデジタルメディアレンダラー（１０４ａ〜１０４ｃ）の間にまだ接続が確立されていない場合は、ただちに接続を確立させる。図３Ｂに示したように、第一入力動作が押し戻しの連続動作である時、マルチメディアファイル管理インターフェース３００は、サーバリスト３０２の表示に加え、プレビューウィンドウ３０４において、再生される（第一入力動作により選択された）マルチメディアファイルの映像、マルチメディアファイルを再生するデジタルメディアレンダラー（１０４ａ〜１０４ｃ）を示す情報（例えばレンダラー名など）、及び再生されるマルチメディアファイルを示す情報（例えばファイル名など）を表示する。図３Ｂに示す例では、デジタルメディアサーバ１０６ａが保存したマルチメディアファイルａ２を選択し、且つ、デジタルメディアサーバ１０６ａがすでにデジタルメディアレンダラー１０４ａに接続された場合を示している。すなわち、図３Ｂに示す例では、プレビューウィンドウ３０４において、マルチメディアファイルａ２の再生映像が表示されており、また、デジタルメディアレンダラー１０４ａのレンダラー名「レンダラー１０４ａ」、マルチメディアファイルａ２のファイル名「マルチメディアファイルａ２」が表示されている。例えば、感知した第一入力動作が、押し戻しの連続動作であり、この第一入力動作により選択されたマルチメディアファイルがファイル名「マルチメディアファイルａ２」のファイルである時は、すでにデジタルメディアサーバ１０６ａに接続されたデジタルメディアレンダラー１０４ａを、入力位置が対応するマルチメディアファイルａ２(つまり、ユーザーが第一入力動作によって選択したマルチメディアファイルａ２)を再生させるよう直接設定する。したがって、マルチメディアファイル管理インターフェース３００のプレビューウィンドウ３０４において、デジタルメディアレンダラー１０４ａで再生されるマルチメディアファイルａ２をプレビューすることができる。
【００２３】
本実施形態において、ユーザーがタッチスクリーン１５０において、タッチ−リリースの連続動作によって（第一入力動作によって）再生するマルチメディアファイルを選択する時、デジタルメディアレンダラー（１０４ａ〜１０４ｃ）がその他のマルチメディアファイルを再生している場合は、第一入力動作によって選択されたマルチメディアファイルをデジタルメディアレンダラー（１０４ａ〜１０４ｃ）の再生リストに追加させるようにする。このように、デジタルメディアレンダラー（１０４ａ〜１０４ｃ）は、すぐには第一入力動作によって選択されたマルチメディアファイルを再生せず、例えば、再生リスト中のその他のマルチメディアファイルが再生完了後に、第一入力動作によって選択されたマルチメディアファイルを再生する。
【００２４】
また、ステップＳ２２１において、第一入力動作が押し続ける動作である場合、タッチスクリーン１５０にプレーヤーリストが表示されることで、マルチメディアシステム体系１００中のデジタルメディアレンダラー（１０４ａ〜１０４ｃ）はリストアップされる。このうち、上述の押し続ける動作は、例えば、入力ツール(例えば、手指またはタッチペン)によってタッチスクリーン１５０に触れ続けて所定の接触時間を過ぎた場合を指す。この所定の時間は、例えば、工場出荷時のデフォルト設定値またはユーザーが自分で設定した値である。
【００２５】
図３Ｃに示したように、第一入力動作が押し続ける動作である場合、マルチメディアファイル管理インターフェース３００は、サーバリスト３０２の表示に加え、プレーヤーリスト３０６を表示して、マルチメディアシステム体系１００中のデジタルメディアレンダラー（１０４ａ〜１０４ｃ）をリストアップする。すなわち、マルチメディアファイル管理インターフェース３００は、プレーヤーリスト３０６を表示することにより、マルチメディアシステム体系１００中のデジタルメディアレンダラー（１０４ａ〜１０４ｃ）を示す情報（例えばレンダラー名など）を表示する。図３Ｃに示す例では、プレーヤーリスト３０６に、デジタルメディアレンダラー（１０４ａ〜１０４ｃ）のレンダラー名「レンダラー１０４ａ」「レンダラー１０４ｂ」「レンダラー１０４ｃ」が表示されている。図３Ｃに示す例では、ユーザーは第一入力動作によってデジタルメディアサーバ１０６ａが保存するマルチメディアファイルａ３を選択再生する場合であって、デジタルメディアサーバ１０６ａがすでにデジタルメディアレンダラー１０４ｃに接続された場合を示している。感知した第一入力動作が、押し続ける動作である時、マルチメディアファイル管理インターフェース３００にプレーヤーリスト３０６は浮動に表示される。この浮動に表示されるプレーヤーリスト３０６は、例えば、サーバリスト３０２に部分的に重なり、ユーザーが第一入力動作によって選択するマルチメディアファイルのファイル名のそばに配置される。図３Ｃに示す例では、第一入力動作によってファイル名「マルチメディアファイルａ３」が選択されており、ファイル名「マルチメディアファイルａ３」のそばにプレーヤーリスト３０６が表示されている。本実施形態において、マルチメディアファイル管理インターフェース３００中にプレーヤーリスト３０６を浮動に表示するが、本発明はこれに限るものではない。つまり、他の実施形態において、プレーヤーリスト３０６は、ドロップダウンリスト方式でも可能で、直接サーバリスト３０２の中あるユーザーが第一入力動作によって選択したマルチメディアファイルの下方に表示される。言い換えれば、プレーヤーリスト３０６の表示位置と表示形態は、実際のアプリケーションインターフェースの開発状況に基づき、異なる変化が可能で、上述の例の制限を受けない。
【００２６】
その後、ステップＳ２２５中において、タッチスクリーン１５０を経由して、第二入力動作を感知することで、デジタルメディアレンダラー（１０４ａ〜１０４ｃ）のうちの一つを選択する。つまり、ユーザーが入力装置(例えば、手指またはタッチペン)によって、タッチスクリーン１５０において第二入力動作を生成することで、接続するデジタルメディアレンダラーを選択するということである。第二入力動作は、例えば、第二入力動作によって選択するデジタルメディアレンダラー（１０４ａ〜１０４ｃ）が対応するレンダラー名の表示位置に生成される押し戻しの連続動作(つまり軽タッチ−リリース動作の連続)である。図３Ｃに示したようにデジタルメディアレンダラー１０４ｃを選択する場合には、ユーザは、デジタルメディアレンダラー１０４ｃが対応するレンダラー名「レンダラー１０４ｃ」の表示位置に押し戻しの連続動作を生成する。本実施形態において、プレーヤーリスト３０６は、チェックボックス選択方式によってマルチメディアシステム体系１００にあるデジタルメディアレンダラー１０４ａ〜１０４ｃを羅列するが、本発明はこれに制限されるものではない。つまり、プレーヤーリスト３０６の選択項目は、その他の形式によってデジタルメディアレンダラー１０４ａ〜１０４ｃをリストアップすることも可能である。また、本実施形態において、第二入力動作は、押し戻しの連続動作による場合を例とし、プレーヤーリスト３０６において、デジタルメディアレンダラー１０４ａ〜１０４ｃを選択して、特定マルチメディアファイルを再生する過程を説明するが、本発明はこれに制限されるものではない。
【００２７】
本実施形態において、第二入力動作は、押し戻しの連続動作に限られず、例えば、ドラッグ操作であってもよい。この場合、第二入力動作のドラッグ操作は、タッチスクリーン１５０上の開始位置と終了位置を含む。ドラッグ操作は、例えば、入力ツール(例えば、手指またはタッチペン)によってタッチスクリーン１５０に触れ、入力ツールをタッチスクリーン１５０に触れ続けている状態で移動させ、入力ツールをタッチスクリーン１５０から離す操作である。ドラッグ操作の開始位置は、第一入力動作によって選択したマルチメディアファイルのファイル名の表示位置に対応し、第一入力動作の押し続ける動作の押す位置（入力ツールをタッチスクリーン１５０に触れ続けている位置）に対応する。ドラッグ操作の終了位置は、第二入力動作によって選択するデジタルメディアレンダラー（１０４ａ〜１０４ｃ）のレンダラー名の表示位置に対応し、第二入力動作のドラッグ操作の入力ツールをタッチスクリーン１５０から離す位置に対応する。すなわち、第一入力動作の押し続ける動作が行われると、第一入力動作の押し続ける動作の押す位置に表示されているファイル名に対応するマルチメディアファイルが選択され、そして、第一入力動作の押し続ける動作の押す位置を第二入力動作のドラッグ操作の開始位置として、第二入力動作のドラッグ操作が行われると、第二入力動作のドラッグ操作の終了位置に表示されているレンダラー名に対応するデジタルメディアレンダラー（１０４ａ〜１０４ｃ）が選択される。図３Ｄに示す例では、上記実施形態と同じくユーザーが第一入力動作によってデジタルメディアサーバ１０６ａが保存するマルチメディアファイルａ３を選択している。そして、図３Ｄに示す例では、上記実施形態と異なり、第二入力動作が、ドラッグ操作３０８であり、且つ、ドラッグ操作３０８は、タッチスクリーン１５０上の開始位置３０８ａと終了位置３０８ｂを含み、ドラッグ操作３０８の開始位置３０８ａは、第一入力動作によって選択したマルチメディアファイルのファイル名「マルチメディアファイルａ３」の表示位置に対応し、且つ、第一入力動作の押し続ける位置に対応して、ドラッグ操作３０８の終了位置３０８ｂは、第二入力動作によって選択するデジタルメディアレンダラー１０４ｃのレンダラー名「レンダラー１０４ｃ」の表示位置に対応している。つまり、ユーザーは、直覚的な方式を使用して、直接ドラッグする動作によって、選択して再生するマルチメディアファイルａ３をデジタルメディアレンダラー１０４ｃにまでドラッグするということである。したがって、図３Ｄに示す例では、第一入力動作によって、ファイル名「マルチメディアファイルａ３」のマルチメディアファイルが選択され、第二入力動作によって、レンダラー名「レンダラー１０４ｃ」のデジタルメディアレンダラー１０４ｃが選択される。
【００２８】
次に、ステップＳ２３１において、第二入力動作によって選択したデジタルメディアレンダラーによって第一入力動作によって選択したマルチメディアファイルを再生するよう設定される。図３Ｃと図３Ｄに示す例では、第二入力動作によって選択したデジタルメディアレンダラー１０４ｃにおいて、第一入力動作によって選択したマルチメディアファイルａ３を再生する。もし、第二入力動作によって選択したデジタルメディアレンダラー（１０４ａ〜１０４ｃ）が、その他のマルチメディアファイルを再生している時には、第一入力動作によって選択したマルチメディアファイルは第二入力動作によって選択したデジタルメディアレンダラー（１０４ａ〜１０４ｃ）のプレーヤーリスト中に追加される。このように、第二入力動作によって選択したデジタルメディアレンダラー（１０４ａ〜１０４ｃ）は、すぐには第一入力動作によって選択したマルチメディアファイルを再生せず、例えば、再生リスト中のその他のマルチメディアファイルを再生してから、第一入力動作によって選択したマルチメディアファイルを再生する。
【００２９】
＜実施形態２＞
次に、本発明の一実施形態によるマルチメディアファイル管理システムについて説明する。図４は、本発明の一実施形態におけるマルチメディアファイル管理システムを示した図である。図４と図１に示したように、本実施形態のマルチメディアファイル管理システム４００は、マルチメディアシステム体系１００に適用される。すなわち、マルチメディアファイル管理システム４００は、マルチメディアシステム体系１００に適合し、ネットワークを経由して、各デジタルメディアサーバ及び各デジタルメディアレンダラーに接続される。マルチメディアファイル管理システム４００は、表示ユニット４０２、センサユニット４０４、動作分析ユニット４０６及びコントロールユニット４０８を備える。上述の表示ユニット４０２、センサユニット４０４、動作分析ユニット４０６及びコントロールユニット４０８は、上述のマルチメディアファイル管理方法を具体的に実現する。表示ユニット４０２は、サーバリスト(例えば、図３Ａのサーバリスト３０２)を表示し、マルチメディアシステム体系１００中のデジタルメディアサーバ(１０６ａ〜１０６ｃ)と、デジタルメディアサーバ(１０６ａ〜１０６ｄ)の少なくともそのうちの一つが保存するマルチメディアファイルをリストアップする(詳細は前述のマルチメディアファイル管理方法のステップＳ２０１に記載)。センサユニット４０４は表示ユニット４０２に接続されて、センサユニットの入力位置を経由して、ユーザーが生成した第一入力動作を感知することで、入力位置を選択して対応するサーバリストにリストアップされるデジタルメディアサーバのうちの一つが保存するマルチメディアファイルのうちの一つを選択する(詳細は前述のマルチメディアファイル管理方法のステップＳ２０５に記載)。動作分析ユニット４０６は、センサユニット４０４に接続され、このうち、動作分析ユニット４０６は、第一入力動作を分析する(詳細は前述のマルチメディアファイル管理方法のステップＳ２１１に記載)。コントロールユニット４０８は、動作分析ユニット４０６に接続される。第一入力動作が押し戻しの連続動作である場合、コントロールユニット４０８は、マルチメディアファイル管理システム４００のネットワークインターフェース４１０によって、ネットワーク１０２(図１に示したとおり)を経由して、選択したマルチメディアファイルが対応するデジタルメディアサーバに接続されたデジタルメディアレンダラーを指定して、選択したマルチメディアファイルを再生する(詳細は前述のマルチメディアファイル管理方法のステップＳ２１５に記載)。他方で、第一入力動作が押し続ける動作である時、コントロールユニット４０８は、表示ユニット４０２をコントロールしてプレーヤーリスト(例えば、図３Ｃのプレーヤーリスト３０６)を表示することで、マルチメディアシステム体系１００にあるデジタルメディアレンダラーをリストアップする(詳細は前述のマルチメディアファイル管理方法のステップＳ２２１に記載)。センサユニット４０４は、センサユニット４０４上の第二入力動作を感知することで、デジタルメディアレンダラーのうちの一つを選択し(詳細は前述のマルチメディアファイル管理方法のステップＳ２２５に参照)、且つ、コントロールユニ��ト４０８は第二入力動作に基づき、ネットワークインターフェース４１０によってネットワーク１０２を経由して、選択したデジタルメディアレンダラーに接続されることで、選択したデジタルメディアレンダラーを指定して、選択したマルチメディアファイルを再生する(詳細は前述のマルチメディアファイル管理方法のステップＳ２３１に記載)。
【００３０】
＜実施形態３＞
次に、本発明の一実施形態によるデジタルメディアコントローラについて説明する。上述のマルチメディアファイル管理方法とマルチメディアファイル管理システムは、デジタルメディアコントローラ上でコンピュータのリライタブルプログラムを実行する。図５は、本発明の一実施形態におけるデジタルメディアコントローラを示した図である。本実施形態のデジタルメディアコントローラ５００は、図１に示したマルチメディアシステム体系１００に適合し、ネットワークを経由して、各デジタルメディアサーバ及び各デジタルメディアレンダラーに接続される。図５に示したように、本実形態において、デジタルメディアコントローラ５００は、タッチスクリーン５０２、保存装置５０４及びＣＰＵ５０６を備える。タッチスクリーン５０２は、サーバリストを表示して、マルチメディアシステム体系１００(図１に示したとおり)中のデジタルメディアサーバとデジタルメディアサーバの少なくとも一つが保存するマルチメディアファイルをリストアップして(詳細は前述のマルチメディアファイル管理方法のステップＳ２０１に記載)、且つ、タッチスクリーン５０２の入力位置において、第一入力動作を感知することで、入力位置が対応するサーバリストがリストアップするデジタルメディアサーバのうちの一つが保存するマルチメディアファイルのうちの一つを選択する(詳細は前述のマルチメディアファイル管理方法のステップＳ２０５に記載)。保存装置５０４は、コンピュータのリライタブルプログラムを保存する。ＣＰＵ５０６は、コンピュータのリライタブルの複数のコマンドを実行する。これらのコマンドは、前記第一入力動作を分析する(詳細は前述のマルチメディアファイル管理方法のステップＳ２１１に記載)ことを含む。第一入力動作が押し戻しの連続動作である時、選択されたマルチメディアファイルが対応するデジタルメディアサーバに接続されたデジタルメディアレンダラーを指定して、選択したマルチメディアファイルを再生する(詳細は前述のマルチメディアファイル管理方法のステップＳ２１５に記載)。第一入力動作が押し続ける動作である時、タッチスクリーン５０２上にプレーヤーリストが表示され(詳細は前述のマルチメディアファイル管理方法のステップＳ２２１に記載)た後、タッチスクリーン５０２を経由して、第二入力動作を感知することで、デジタルメディアレンダラーのうちの一つを選択し(詳細は前述のマルチメディアファイル管理方法のステップＳ２２５に記載)、次に、選択したデジタルメディアレンダラーを指定して、選択したマルチメディアファイルを再生する(詳細は前述のマルチメディアファイル管理方法のステップＳ２３１に記載)。本発明のマルチメディアファイル管理方法のステップとマルチメディアファイル管理システムの機能はすでに前述の実施形態において詳述しているため、ここでは再述しない。
【００３１】
本実施形態において、デジタルメディアコントローラ５００は、タッチスクリーン５０２を有するタブレットパソコンであり、それは無線ネットワークを介して、デジタルメディアサーバ及びデジタルメディアレンダラーとの接続を構築する。本実施形態において、ユーザーは、タッチスクリーン５０２に表示されるサーバリスト内のマルチメディアファイルリスト中のあるファイル（ファイル名の表示位置）を押し続けると（第一入力動作を行うと）、即時にプレーヤーリストが生成されて、ユーザーが連続するタッチ−ドラッグの動作（第二入力動作）によって、プレーヤーリスト中において一個のデジタルメディアレンダラーを選択して、マルチメディアファイルを再生できるようにする。したがって、このタイプの設計は、全体的に見ると、ユーザーが携帯電子機器によって、無線ネットワークの範囲内のいかなる場所においても、より直覚的な方式でデジタルメディアの複数のデジタルメディアレンダラーの再生状態がコントロールできる。これは、使用の便性さを大きく高めるものである。
【００３２】
このように、本発明によると、ユーザーがタッチスクリーン上で再生するマルチメディアファイルを選択する動作を判別した結果に基づき、自動的に対応する反応が生成される。それは、デジタルメディアサーバにすでに接続されたデジタルメディアレンダラー上で選択されたマルチメディアファイルを直接再生する場合、または、デジタルメディアレンダラーが他のマルチメディアファイルを選択再生する場合も含む。ユーザーは、直覚的にデジタルメディアコントローラ/マルチメディアファイル管理システムが提供するマルチメディアファイル管理インターフェースにおいて、速やかな操作及びデジタルメディアサーバとデジタルメディアレンダラーの間の接続対応関係を管理でき、さらに、デジタルメディアレンダラーを指定して、マルチメディアサーバの特定マルチメディアファイルを再生することも可能である。したがって、ＤＬＮＡ環境における、複数のマルチメディアファイル管理の複雑さを改善して、ユーザーの操作の便性さを高められる。
【００３３】
以上、本発明の実施形態を図面を参照して詳述してきたが、具体的な構成は、これらの実施形態に限られるものではなく、本発明の要旨を逸脱しない範囲の設計変更などがあっても、本発明に含まれる。
【産業上の利用可能性】
【００３４】
本発明は、以上の如くの構成したため、ユーザーが直覚的にデジタルメディアサーバとデジタルメディアレンダラーの間の接続対応関係を操作コントロールすることができるマルチメディアファイル管理方法を提供し得るものである。
【符号の説明】
【００３５】
１００    マルチメディアシステム体系
１０２    ネットワーク
１０４ａ、１０４ｂ、１０４ｃ    デジタルメディアレンダラー
１０６ａ、１０６ｂ、１０６ｃ、１０６ｄ    デジタルメディアサーバ
１０８ａ、１０８ｂ、１０８ｃ    デジタルメディアコントローラ
Ｓ２０１〜Ｓ２３１    ステップ
ａ１、ａ２、ａ３    マルチメディアファイル
３００    マルチメディアファイル管理インターフェース
３０２    サーバリスト
３０４    プレビューウィンドウ
３０６    プレーヤーリスト
３０８    ドラッグ操作
３０８ａ    開始位置
３０８ｂ    終了位置
４００    マルチメディアファイル管理システム
４０２    表示ユニット
４０４    センサユニット
４０６    動作分析ユニット
４０８    コントロールユニット
４１０    ネットワークインターフェース
５００    デジタルメディアコントローラ
１５０、５０２    タッチスクリーン
５０４    保存装置
５０６    ＣＰＵ
【図１】
2013243666.tif 000003
【図２】
2013243666.tif 000004
【図３Ａ】
2013243666.tif 000005
【図３Ｃ】
2013243666.tif 000006
【図３Ｄ】
2013243666.tif 000007
【図４】
2013243666.tif 000008
【図５】
2013243666.tif 000009
【図３Ｂ】
2013243666.tif 000010